(57)【特許請求の範囲】
【請求項１】
遊技島の上方に設けられた上部タンクから溢れたパチンコ玉を
前記上部タンクに接続されたオーバーフロー流下路の下方に設けた分岐通路を介して
優先側の下部貯留タンクに導く遊技島のオーバーフロー機構において、
前記オーバーフロー流下路は、
下部に側方を開放した開口を形成し、該開口を覆う開口覆い部材を設け、
前記オーバーフロー流下路の下方に、
前記分岐通路側に下り勾配を有する傾斜案内板を設けるとともに、
前記傾斜案内板の略中央位置の上方に前記オーバーフロー流下路を固設し、
前記傾斜案内板は、
前記分岐通路側に突出し、
該分岐通路をなす両側傾斜通路の頂部の一部を仕切る仕切板を設けて、
上部タンクから溢れたパチンコ玉を、
前記オーバーフロー流下路を介して前記分岐通路の片側に優先的に導くようにしたことを特徴とする遊技島のオーバーフロー機構。
【請求項２】
遊技島の上方に設けられた上部タンクから溢れたパチンコ玉を
前記上部タンクに接続されたオーバーフロー流下路の下方に設けた分岐通路を介して
優先側の下部貯留タンクに導く遊技島のオーバーフロー機構において、
前記オーバーフロー流下路は、
オーバーフロー管と、下部受け筐体と、から構成され、
前記下部受け筐体は、側方を開放した開口と、該開口を覆う開口覆い部材とを備え、
優先する下部貯留タンクの設置方向に併せて該開口を向けるように設け、
前記オーバーフロー流下路の下方に、
前記分岐通路側に下り勾配を有する傾斜案内板を設けるとともに、
前記傾斜案内板の略中央位置の上方に前記オーバーフロー流下路を固設し、
前記傾斜案内板は、
前記分岐通路側に突出し、該分岐通路をなす両側傾斜通路の頂部の一部を仕切る仕切板を設けて、
上部タンクから溢れたパチンコ玉を、
前記オーバーフロー流下路を介して前記分岐通路の片側に優先的に導くようにしたことを特徴とする遊技島のオーバーフロー機構。
【発明の詳細な説明】
【技術分野】
【０００１】
本発明は、各遊技島の上方に設けられた上部タンクから溢れたパチンコ玉を下部貯留タンクに返還する遊技島のオーバーフロー機構に関する。
【背景技術】
【０００２】
従来から、複数台のパチンコ遊技機を片面または両面に配列した遊技島においては、遊技島の下部に多量のパチンコ玉を貯留させる下部貯留タンクと、下部貯留タンクの排出口に設けられた玉供給装置と、玉供給装置若しくは各パチンコ遊技機から回収樋に排出されたパチンコ玉を上方に揚送する揚送装置と、揚送装置の上部に揚送されたパチンコ玉を一時貯留させておく上部タンクと、上部タンクから各パチンコ遊技機や各遊技媒体貸出機に対してパチンコ玉を補給する補給樋と、上部タンクから溢れたパチンコ玉を下部貯留タンクに戻すためのオーバーフロー管とが設けられ、このような循環機構によって、島内のパチンコ玉が循環するようにしている。
【０００３】
ここで、上記の循環機構に関連する特許文献１のパチンコ玉循環装置を参照する。この装置は、遊技島の左右に設けられた下部貯留タンクを備え、左右いずれかの下部貯留タンクを優先貯留タンクとして、上部タンクから溢れたパチンコ玉を優先的に貯留するようにしたものである。
【０００４】
ところで、この装置は、上部タンクに溢球ホース（本発明のオーバーフロー管に相当する）が接続され、溢球ホースは中継タンクを介して分岐通路に到り、パチンコ玉は分岐通路によって優先貯留タンク又は非優先貯留タンクに導かれる構成とされている。
【０００５】
ところが、このような構成において、溢球ホースは上部タンクから中継タンクへ向けて、大きな落差を有して直下に到る構成とされ、上部タンクから溢れ出たパチンコ玉は溢球ホースを経て勢いよく中継タンクへ落下するため、落下してきたパチンコ玉が中継タンク周辺の部材と衝突したり、或いはパチンコ玉同士が衝突したりして飛散し、非優先貯留タンク側にも転動してしまうという問題があった。
【特許文献１】実用新登録第２５８９５２８号公報
【発明の開示】
【発明が解決しようとする課題】
【０００６】
本発明は、上記の事情に鑑みてなされたもので、パチンコ玉を遊技島の上部タンクから下部貯留タンクへ移送する際のパチンコ玉を優先すべき下部貯留タンクに確実に導くようにした遊技島のオーバーフロー機構を提供することを目的とする。
【課題を解決するための手段】
【０００７】
上記課題を解決するために、本発明の請求項１に係わる遊技島のオーバーフロー機構は、遊技島の上方に設けられた上部タンクから溢れたパチンコ玉を前記上部タンクに接続されたオーバーフロー流下路の下方に設けた分岐通路を介して優先側の下部貯留タンクに導く遊技島のオーバーフロー機構において、前記オーバーフロー流下路は、下部に側方を開放した開口を形成し、該開口を覆う開口覆い部材を設け、前記オーバーフロー流下路の下方に、前記分岐通路側に下り勾配を有する傾斜案内板を設けるとともに、前記傾斜案内板の略中央位置の上方に前記オーバーフロー流下路を固設し、前記傾斜案内板は、前記分岐通路側に突出し、該分岐通路をなす両側傾斜通路の頂部の一部を仕切る仕切板を設けて、上部タンクから溢れたパチンコ玉を、前記オーバーフロー流下路を介して前記分岐通路の片側に優先的に導くようにしたことを特徴とする。
【０００８】
また、本発明の請求項２に係わる遊技島のオーバーフロー機構は、遊技島の上方に設けられた上部タンクから溢れたパチンコ玉を前記上部タンクに接続されたオーバーフロー流下路の下方に設けた分岐通路を介して優先側の下部貯留タンクに導く遊技島のオーバーフロー機構において、前記オーバーフロー流下路は、オーバーフロー管と、下部受け筐体と、から構成され、前記下部受け筐体は、側方を開放した開口と、該開口を覆う開口覆い部材とを備え、優先する下部貯留タンクの設置方向に併せて該開口を向けるように設け、前記オーバーフロー流下路の下方に、前記分岐通路側に下り勾配を有する傾斜案内板を設けるとともに、前記傾斜案内板の略中央位置の上方に前記オーバーフロー流下路を固設し、前記傾斜案内板は、前記分岐通路側に突出し、該分岐通路をなす両側傾斜通路の頂部の一部を仕切る仕切板を設けて、上部タンクから溢れたパチンコ玉を、前記オーバーフロー流下路を介して前記分岐通路の片側に優先的に導くようにしたことを特徴とする。
【発明の効果】
【０００９】
本発明による遊技島のオーバーフロー機構によれば、オーバーフロー流下路を介して落下したパチンコ玉が周辺へ飛散することを防止し、パチンコ玉を確実に優先すべき下部貯留タンク側の分岐通路へ誘導することが可能となる。
【発明を実施するための最良の形態】
【００１０】
以下、本発明の実施例について図面を参照しながら説明する。
【実施例１】
【００１１】
本実施例のオーバーフロー機構９が設けられた遊技島１の全体構成について述べると、複数台配列されたパチンコ台２、２…と、各パチンコ台２、２間に設けられた遊技媒体貸出機３と、パチンコ玉を磨きながら揚送する揚送装置４と、揚送装置４の上部に設けられた上部タンク５と、遊技島内に多量のパチンコ玉を貯留する下部貯留タンク６とが備えられている。
【００１２】
また、各パチンコ台２、２…の下方には排出されたパチンコ玉（アウト玉）を回収する回収樋７が揚送装置４の下部に向かって傾斜状に設けられ、下部貯留タンク６から排出したパチンコ玉は揚送装置４により上部タンク５内に揚送され、上部タンク５から各パチンコ台２、２…及び各遊技媒体貸出機３、３…に補給樋８を介して補給される。
【００１３】
さらに、本実施例においては、このような遊技島１の上方に設けられた上部タンク５から溢れたパチンコ玉をオーバーフロー流下路１０Ａを介して遊技島１の下方に流下させ、オーバーフロー流下路１０Ａの下方に設けられた分岐通路１１を介して優先すべき下部貯留タンク６に導くようにしている。このような構成において、オーバーフロー流下路１０Ａは、後述するオーバーフロー管１０と受け部材１３と下部受け筐体１７とから構成されている。
【００１４】
上記の構成をより詳細に述べると、遊技島１の上方の上部タンク５にオーバーフロー管１０が接続され、図２、図３、図４に示すように、オーバーフロー管１０の下方に設けられた分岐通路１１を介して、上部タンク５からのパチンコ玉を分岐通路１１を介して優先すべき下部貯留タンク６に導く構成とされている。
【００１５】
また、このような構成において、オーバーフロー管１０の下部に断面Ｕ字形の弾性部材からなる受け部材１３（図３（ａ）参照）が設けられると共に、この受け部材１３の側部開口１３ａを覆う開口覆い部材１４が弾性部材により形成され、さらに受け部材１３の下方にて分岐通路１１側に下り勾配を有する傾斜案内板１８にはパチンコ玉を分岐通路１１の片側に優先的に導くための仕切板１６が設けられている。
【００１６】
図３（ａ）に示す受け部材１３はゴム又はウレタン等からなる弾性板部材を断面Ｕ字形に湾曲し、その両端をオーバーフロー管１０の両側部に固定することにより構成されたものである。また、受け部材１３の周囲には、受け部材１３の一側の側部開口１３ａを開放するように断面コ字形に形成された下部受け筐体１７が固設されたことにより、受け部材１３の側部開口１３ａは一側方に開放された構成とされている。
【００１７】
さらに、図３（ｂ）に示すように、上記の受け部材１３の側部開口１３ａを覆うように、ゴム又はウレタン等からなる弾性板による開口覆い部材１４が断面Ｕ字形に湾曲形成され、その両端を下部受け筐体１７の両側に固設した構成とされている。
【００１８】
なお、上記の実施例において、オーバーフロー流下路１０Ａは、オーバーフロー管１０と受け部材１３と下部受け筐体１７とから構成され、オーバーフロー流下路１０Ａの開口は側部開口１３ａにより構成されているが、他の実施例として、オーバーフロー流下路１０Ａはオーバーフロー管１０のみで構成してもよい。この場合、受け部材１３の側部開口１３ａの代わりに、不図示であるが、オーバーフロー管１０の下端側部の優先側を切り欠くことによって開口を形成し、またオーバーフロー管１０の下端管口を優先すべき下部貯留タンク側に曲げることによって開口を形成することができる。
【００１９】
上記の構成により、オーバーフロー管１０を介して落下したパチンコ玉が受け部材１３の側部開口１３ａから勢いよく飛び出して開口覆い部材１４に当ったとき、開口覆い部材１４の弾性及び内側の湾曲形状によって、パチンコ玉の衝撃が緩衝され、また騒音が低減される。
【００２０】
また、上記の下部受け筐体１７は両脚１７ａ、１７ｂを有し、受け部材１３の下方に間隔を開けて設けられた傾斜案内板１８が分岐通路１１側に下り勾配を有すると共に、傾斜案内板１８の周囲には分岐通路１１側以外の三方を囲う側壁１２を備えた構成とされ、この側壁１２の略中央位置に固設されたブラケット１２ａに下部受け筐体１７の一脚１７ａが固設され、下部受け筐体１７の他脚１７ｂは分岐通路１１側にて支持された脚部２２に固設されている。
【００２１】
なお、上記の下部受け筐体１７の側部開口１３ａは、優先すべき下部貯留タンク６側の傾斜通路１５ｂに臨む側の傾斜案内板１８の方向に向けられているが、側部開口１３ａの取付け方向を逆転した状態で下部受け筐体１７を脚部２２上に取り付けるようにしてもよい。遊技島によっては優先すべき下部貯留タンク６を逆側に設置する場合もあり、このような場合にも、共通の部品で容易に対処することが可能となる。
【００２２】
さらに、上記の傾斜案内板１８にはパチンコ玉を分岐通路１１の片側に優先的に導くための仕切板１６が設けられている。より詳細には、上記の下部受け筐体１７の下方にて、傾斜案内板１８を略中央で仕切る仕切板１６が傾斜案内板１８の傾斜方向に沿って固設されている。このような構成により、仕切板１６によってオーバーフロー管１０を介して落下したパチンコ玉を優先すべき下部貯留タンク６側の分岐通路１１へ誘導することが可能となる。
【００２３】
さらに、この仕切板１６は分岐通路１１側に突出（突出部１６ａ）した構成とされている。即ち、上記のように傾斜案内板１８の傾斜方向に沿って固設されている仕切板１６がそのまま分岐通路１１の頂部１５ｃの一部を仕切るように突出されているため、オーバーフロー管１０を介して受け部材１３の側部開口１３ａから落下したパチンコ玉が傾斜案内板１８を転動した後、分岐通路１１側の頂部１５ｃを越して、回収樋７側に導かれることを防止することができる。また、優先すべき下部貯留タンク６が満杯になり、案内通路２０ｂ、傾斜通路１５ｂまでパチンコ玉が詰まり上がってきたときには、傾斜通路１５ａ、案内通路２０ａを介して、図１に示す左方の回収樋７へ導かれることとなる。
【００２４】
なお、図２に示すように、上記の両側傾斜通路１５ａ、１５ｂを有する分岐通路１１の側部は上端を同一高さに揃えた側板１９が形成されると共に、夫々の傾斜通路１５ａ、１５ｂから左右の案内通路２０ａ、２０ｂに到る境界の上方にはパチンコ玉を均すための上部規制板２１ａ、２１ｂが形成されているため、分岐通路１１から導かれるパチンコ玉を案内通路２０ａ又は２０ｂに均した状態で通過させることができる。
【００２５】
上記のように、本実施例における遊技島のオーバーフロー機構によれば、オーバーフロー管１０を介して落下したパチンコ玉が周辺へ飛散することを防止し、パチンコ玉を確実に優先すべき下部貯留タンク６側の分岐通路１１へ誘導することが可能となる。
【００２６】
また、オーバーフロー管１０を介して落下したパチンコ玉が、受け部材１３の側部開口１３ａから飛び出したとき、開口覆い部材１４によって周辺へ飛散することを防止すると共に、開口覆い部材１４の弾性によって衝撃が緩衝され、また騒音が低減される。
【００２７】
さらに、本実施例においては、受け部材１３の下方にて分岐通路１１側に下り勾配を有する傾斜案内板１８にはパチンコ玉を分岐通路１１の片側に優先的に導くための仕切板１６が設けられているため、この仕切板１６によってオーバーフロー管１０を介して落下したパチンコ玉を優先すべき下部貯留タンク６側の分岐通路１１（傾斜通路１５ｂ側）へ誘導することが可能となる。
【００２８】
また、上記の仕切板１６が分岐通路１１側に突出している構成により、両側傾斜通路１５ａ、１５ｂの頂部１５ｃの一部を仕切ることができ、パチンコ玉が傾斜案内板１８を転動した後、分岐通路１１側の頂部１５ｃを越して非優先側の下部貯留タンク方向に導かれることを防止することが可能となる。
【産業上の利用可能性】
【００２９】
本発明の遊技島のオーバーフロー機構は、パチンコ玉を遊技島の上部タンクから下部貯留タンクへ移送する際のパチンコ玉を優先すべき下部貯留タンクに確実に導くようにした遊技島のオーバーフロー機構として利用可能である。
【図面の簡単な説明】
【００３０】
【図１】本発明による遊技島のオーバーフロー機構が設けられた遊技島の正面図である。
【図２】本発明による遊技島のオーバーフロー機構の全体斜視図である。
【図３】（ａ）は本発明による遊技島のオーバーフロー機構の側面図であり、(ｂ)はその内部構造を示す断面図である。
【符号の説明】
【００３１】
１  遊技島
２  パチンコ台
３  遊技媒体貸出機
４  揚送装置
５  上部タンク
６  下部貯留タンク
７  回収樋
８  補給樋
９  オーバーフロー機構
１０Ａ  オーバーフロー流下路
１０  オーバーフロー管
１１  分岐通路
１２  側壁
１２ａ  ブラケット
１３  受け部材
１３ａ  側部開口
１４  開口覆い部材
１５ａ、１５ｂ  傾斜通路
１５ｃ  頂部
１６  仕切板
１６ａ  突出部
１７  下部受け筐体
１７ａ  一脚
１７ｂ  他脚
１８  傾斜案内板
１９  側板
２０ａ、２０ｂ  案内通路
２１ａ、２１ｂ  上部規制板
２２  脚部
【図１】
0005330680.tif 000002
【図２】
0005330680.tif 000003
【図３】
0005330680.tif 000004